(57)【要約】      （修正有）【課題】突然のゲリラ豪雨による、靴の濡れ・靴の中への雨水の浸入を防ぎ、また、雨の跳ね返りによるズボンの濡れを防ぐ雨靴を提供する。【解決手段】靴底の形を楕円に近いひょうたん型にして前後・左右を対称にすることで、装着するとき迷わずすばやく履くことができる。また、上にのびる靴とズボンの裾をカバーする本体部分を、まっすぐな袋状にすることで、靴を履いたままでも、無理なくスッポリ楽々と履くことができる。本体部分を固定するのは、足首の高さの位置と膝下（ふくらはぎ）の位置に、３〜５センチ幅のともの素材のベルトをぐるりとまわし、マジックテープ（登録商標）で固定する。ベルトの取り付けは、本体の前後方向の中央の位置にベルトの中央を接着し、その反対側で固定できる長さにする。すると左右どちらの足でも履け、前後逆にも履けるようになる。【選択図】図１
0003155602.tif 000002
【実用新案登録請求の範囲】
【請求項１】
突然のゲリラ豪雨の時、ズボンの裾が濡れてしまったり靴の中に雨水が入るのを防ぐことができる簡易雨靴で、靴を履いたまますばやく履くことができ、使い捨てできるもの。
素材は雨水を透さない透明なポリエチレン・ビニール等を使用し、厚さは腰折れしない程度のあまり厚くないもので折りたためるもの。靴底はスリップ事故を防ぐために、ゴム等すべりにくいものを使用する。靴を履いたまま履くので、内部の靴底が当たる部分も滑らないゴム等を使用し、滑り止めをする。また、靴底の形を楕円に近いひょうたん型にして前後・左右を対称にすることで、装着するとき迷わずすばやく履くことができる。また、上にのびる靴・ズボンの裾をカバーする本体部分を、まっすぐな袋状にすることで、靴を履いていても、無理なく履くことができる。
本体部分を固定するのは、足首の高さの位置と膝下（ふくらはぎ）の位置に、３〜５センチ幅のともの素材のベルトをぐるりとまわし、マジックテープ（登録商標）で固定する。
ベルトの取り付けは、本体の前後方向の中央の位置にベルトの中央を接着し、その反対側で固定できる長さにする。すると左右どちらの足でも履ける・前後逆にも履けるようになる。
通常靴は左右２足で一組だが、同じ型のものでいいので、大量生産することによりコストを抑えることができ、安価な使い捨てが可能になる。
固定するとき、足首部分は本体袋状のものを折りたたみ、ズボン等保護できる程度にしてベルトを締める。膝下部分は、歩いてずり落ちない程度にベルトを締める。本体の長さを膝下までにし、膝下で固定することにより、ずり落ちを防ぐことができる。
サイズは女性から男性まで使用できるようＭ・Ｌ・ＬＬとし、靴サイズより少し大きめがよい。携帯できるよう折りたたんで袋にいれる。
また、女性用としてベルトを模様入りにしカラフルにすると、抵抗なく使用できる。
【考案の詳細な説明】
【技術分野】
【０００１】靴底を、楕円型で両端に丸みをつけ中央部分を削ったひょうたん型にして、前後・左右を対称にすることにより、右足・左足・前・後  の関係なくさっと履くことができる。
また、本体部分（靴から膝下まで）を直線の袋状にし、固定用のベルトも、左右・前後の関係なく、靴底の前後方向の中央の位置の、足首の位置・膝下の位置に接着することで、単純な形となり、同じ型のものを大量生産することにより、コストを抑えることができる。
【背景技術】
【０００２】靴カバーはいろいろあるが、靴の形にしたものは形は良いが装着に時間がかかるという難点がある。突然のゲリラ豪雨のとき、靴やズボンが濡れる前に、さっと履くことができるよう靴・ズボンの裾をカバーする本体部分をあえて袋状にした。
【考案の開示】
【考案が解決しようとする課題】
【０００３】突然のゲリラ豪雨に遭遇する回数は、年に何回かだが、一度遭遇すると、靴の中に雨水が入り込み、靴が台無しになり、靴下も濡れズボンも濡れてうんざりするものだ。ズボンのクリーニング代や靴の買い替えのことを考えると、安価でさっと対処できる雨靴があればこれらの悩みを解決することができる。それが本考案の簡易雨靴だ。
靴を履いたままさっと履けるようにすることと、雨が跳ね返る高さの位置を考慮し形・大きさ・長さを考えた。
【課題を解決するための手段】
【０００４】靴を履いたまま、大きな長靴を履こうとしてもなかなか入らないが、靴を履いたままビニール袋を履くことは簡単にできる。ビニール袋を履いたまま歩くことは難しいが、それに靴底を付け、袋の部分をベルトで締め固定したら、容易に歩くことができる。それを形にしたのが本考案だ。靴が濡れるのを防ぐことができるし、靴下やズボンが濡れるのも防ぐことができる。
【考案の効果】
【０００５】突然の雨により、靴が濡れたり、靴の中に雨水が入り靴下が濡れたり、靴の型が崩れたり、ズボンの裾が濡れて不快になったりすることがなくなる。
また、ズボンのクリーニング代とか靴の買い替え等の余分な出費をしなくてすむ。
【考案を実施するための最良の形態】
【０００６】突然の雨に遭遇すると、すぐ必要となる雨靴なので、なるべく安価がよい。また、携帯してもかさばらないよう折りたたんで袋に入れられるようにする。
急場しのぎなので、見栄えより装着が簡単であることに重点をおいた。
【実施例】
【０００７】装着がすごく簡単なのと膝下までカバーするので、突然の豪雨だけでなく、台風のときの横殴りの雨にも充分使える。
【図面の簡単な説明】
【０００８】
【図１】簡易雨靴に固定用のベルトを接着した姿図  靴底の滑り止め  装着してベルトを締めた状態
【図面の符号の説明】
【０００９】ａ  ベルトを締め固定するためのマジックテープ（登録商標）部分
ｂ  本体へベルトを接着する部分
ｃ  靴底の滑り止め
【図１】
0003155602.tif 000003
【手続補正書】
【提出日】平成21年8月27日(2009.8.27)
【手続補正１】
【補正対象書類名】実用新案登録請求の範囲
【補正対象項目名】全文
【補正方法】変更
【補正の内容】
【実用新案登録請求の範囲】
【請求項１】
突然のゲリラ豪雨の時、靴の中への雨水浸入やズボンの裾の濡れを防ぐための簡易雨靴で、靴を履いたまま装着できるほどの大きな口の袋状の筒の底部分に、歩いてもスリップしないよう、薄めのゴム製の靴底を付け、袋部分は膝までの長さにし途中足首と膝下の二箇所をベルトで固定する、折りたためて携帯でき靴を履いたまま装着する、ゴム製靴底が付いたのを特長とする簡易雨靴。
【手続補正書】
【提出日】平成21年8月27日(2009.8.27)
【手続補正１】
【補正対象書類名】明細書
【補正対象項目名】全文
【補正方法】変更
【補正の内容】
【考案の詳細な説明】
【技術分野】
【０００１】本考案は、素早く履くことができ尚且つ安全に歩行できるよう考案した簡易雨靴で、突然の豪雨の時、靴を履いたままさっと履けるように口を大きくし、前後の向きとか右足・左足の区別がないように、前後と左右それぞれを対称の形にしたゴム製の薄めの靴底を付けることにより、迷わず履けて雨の中でも安全に歩行ができる。
【背景技術】
【０００２】取り付けるゴム製靴底は、厚すぎると歩きにくいので薄くやわらかくすることにより地面の感覚が伝わりやすくなり、靴を履いたままでも安全に歩行ができる。
【考案の開示】
【考案が解決しようとする課題】
【０００３】突然のゲリラ豪雨の時、雨水が靴の中へ浸入すると靴を傷めるし、ズボンの裾を濡らすとクリーニングが必要となるし、歩きにくく不快になる。
【課題を解決するための手段】
【０００４】簡易雨靴を靴を履いたまま装着できるよう口を大きくし、袋状の筒にすることでいろんなサイズに対応できて、前後と左右をそれぞれ対称にしたゴム製靴底を付けることにより、スリップすることなく歩行できるようになる。また袋状の部分を二箇所ベルトで固定することにより、足捌きがよくなる。使用後乾かして折りたたむと次の携帯用になる。
【考案の効果】
【０００５】本考案は、突然の豪雨の時、靴やズボンの豪雨による濡れを防ぐのを目的とした簡易雨靴で、折りたたみ携帯できて突然の雨の時、右足・左足・前・後を迷わず素早く履くことができ、靴やズボンを濡らすことなく安全に歩行できるよう考案したもので、足を包む袋の部分を膝までにすることにより、ズボンの濡れと雨水の靴の中への浸入を防ぐことができ、ゴム製の靴底を付けることにより、安全に歩行ができる。
【考案を実施するための最良の形態】
【０００６】袋状の部分に付けるベルトは二箇所だが、雨の降り具合によって折りたたんで短くして固定できるよう間隔をとって、一箇所は足首部分もう一箇所は膝下部分にしておくと、間を折りたたむと短い簡易雨靴になる。
【実施例】
【０００７】膝までカバーできるので、台風のときの横殴りの雨にも充分使える。
【図面の簡単な説明】
【０００８】
【図１】簡易雨靴に固定用のベルトを接着し取り付けた横からの姿図ゴム製靴底の前後・左右の対称の形  簡易雨靴を靴を履いたまま装着してベルトを締め固定した状態
【符号の説明】
【０００９】    ａ    ベルトを締め固定するための面ファスナー部分
ｂ    本体にベルトを接着し取り付けした部分
ｃ    ゴム製靴底の前後・左右の対称の様子と滑り止め模様